(57)【要約】      （修正有）【課題】光源への電流を抑えながらも、パネル部材のどの位置においても入力ペンや指の座標を正確に検出する。【解決手段】タッチパネルは、表示部２１の表面に沿って光を射出する赤外線ＬＥＤ２３ａ、２３ｂと、赤外線ＬＥＤ２３ａ、２３ｂから射出された射出光を再帰反射させる再帰性反射板３１、３２、３３と、再帰性反射板３１、３２、３３からの再帰反射光を撮像する赤外線カメラ２４ａ、２４ｂと、赤外線カメラ２４ａ、２４ｂにより撮像された画像から、表示部２１上における射出光を遮る入力ペンの位置を算出すると共に、入力ペンの位置検出に用いた画像における背景画像の明るさに基づいて赤外線ＬＥＤ２３ａ、２３ｂへの電流を変更するタッチパネルコントローラと、を備える。【選択図】図２
2016197323.tif 000002
【特許請求の範囲】
【請求項１】
光源から射出された光を再帰反射させる再帰性反射手段と、
再帰反射された光を撮像する撮像手段と、
前記撮像した光の画像における背景画像の明るさに基づいて前記光源への電流を変更する電流変更手段と、を備えることを特徴とする座標検知装置。
【請求項２】
前記電流変更手段は、前記画像における前記物体の背景画像の明るさが閾値より小さいとき、前記光源への電流を大きくし、前記画像における前記物体の背景画像の明るさが前記閾値より大きいとき、前記光源への電流を小さくすることを特徴とする請求項１に記載の座標検知装置。
【請求項３】
前記電流変更手段は、起動時、前記電流を初期値とし、起動後、前記画像における背景画像の明るさに基づいて前記光源への電流を調整することを特徴とする請求項１又は２に記載の座標検知装置。
【請求項４】
パネル部材を有する画像表示装置と、請求項１乃至３の何れか一項に記載の座標検知装置と、前記座標検知装置から出力された座標データに基づいて前記画像表示装置に画像を表示させる表示制御装置とを備えることを特徴とする電子情報ボード。
【発明の詳細な説明】
【技術分野】
【０００１】
本発明は座標検知装置、及び電子情報ボードに関する。
【背景技術】
【０００２】
近年、インタラクティブ・ホワイトボード（Interactive White board：ＩＷＢ）と称される電子情報ボードが広く使用されている。電子情報ボードは、例えば、液晶パネル等のフラットパネルを用いた画像表示装置と、画像表示装置の表示面における入力用の物体、例えば入力ペン或いは指が接触した位置の座標を検知する座標検知装置であるタッチパネルと、座標検知装置から出力された座標データに基づいて画像表示装置の表示面に書き込まれた各種画像（文字や数字、図形を含む画像）を表示させる制御装置とを組み合わせた構成となっている。この種の装置では、資料等を拡大表示できる他、入力ペンや指で表示面に書き込みを行える。
上記電子情報ボードに用いられる座標検知装置として、特許文献１には、表示面に沿って赤外線を射出し、この赤外線が入力ペンや指で遮られる位置を検出して入力ペンや指の座標を検出する赤外線遮断方式の座標検知装置が開示されている。
【発明の概要】
【発明が解決しようとする課題】
【０００３】
特許文献１においては、赤外線光源の電流を少なくして、赤外線光量の寿命を延ばし、省エネルギー化を図るため、非タッチ時の光出力をタッチ時よりも低くする発光制御部について記載がある。しかし、発光制御部は、タッチの動作前後で消費電流を抑えるものであり、タッチ動作時に電流を抑えすぎると、入力ペンや指を認識することが難しく座標の検出を正確に行えない。
本発明は、上記に鑑みてなされたもので、光源への電流を抑えながらも、パネル部材のどの位置においても入力ペンや指の座標を正確に検出できる座標検知装置を提供することを課題とする。
【課題を解決するための手段】
【０００４】
上記課題を解決するため、請求項１記載の発明は、光源から射出された光を再帰反射させる再帰性反射手段と、再帰反射された光を撮像する撮像手段と、前記撮像した光の画像における背景画像の明るさに基づいて前記光源への電流を変更する電流変更手段と、を備えることを特徴とする座標検知装置である。
【発明の効果】
【０００５】
本発明によれば、光源への電流を抑えながらも、パネル部材のどの位置においても入力ペンや指の正確な座標を取得できる。
【図面の簡単な説明】
【０００６】
【図１】本発明の一実施形態に係る座標検知装置のハードウエア構成を示すブロック図である。
【図２】図１に示したタッチパネルにおける赤外線ＬＥＤ、赤外線カメラ及び再帰性反射板の配置を示す模式図である。
【図３】座標検知装置における光源の輝度の違いによる撮像結果を示すものであり、（Ａ）は光量が小さい場合の撮影画像及び長辺及び短辺における輝度を示すグラフ図、（Ｂ）は光量が小さい場合の撮影画像及び長辺及び短辺における輝度を示すグラフ図である。
【図４】パルス幅変調制御される光源の点灯状態を説明するグラフ図である。
【図５】図１に示した座標検知装置の制御手順を示すフローチャートである。
【発明を実施するための形態】
【０００７】
本発明に係る座標検知装置は、入力ペンや指等の位置を撮像した画像に基づいて算出する装置である。座標検知装置は、入力ペンや指等を検知した場合、当該検知位置周辺の背景画像の明るさに基づいて動的に光源への電流を変化させる。座標検知装置は、パネル部材のどの位置においても、物体の検知に必要なコントラストを備える画像を得ることができ、光源への電流を抑えるものである。
以下本発明の実施形態に係る座標検知装置、及び電子情報ボードについて説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【０００８】
図１は本発明の一実施形態に係る電子情報ボードのハードウエア構成を示すブロック図である。本実施形態の電子情報ボード１０は、画像等の情報を表示する画像表示装置である表示部２１とタッチパネル２２とを備えるディスプレイ部２０と、ペン信号受信部５０と、コントローラ６０と、を備えている。座標検知装置としてのタッチパネル２２は、入力ペン１００や指等の物体（以下「入力ペン１００等」という）による操作入力を受け付け、入力ペン１００等による入力操作が行われた座標を検知する。
また、タッチパネル２２は、タッチパネルドライバ２５とタッチパネルコントローラ２６と、光源である２つの赤外線ＬＥＤ（light emitting diode）２３ａ、２３ｂを備えると共に、撮像手段である複数台の赤外線カメラ２４ａ、２４ｂを備えている。赤外線ＬＥＤ２３ａ、２３ｂは、パネル部材であるディスプレイ部２０（表示部２１）の表面に沿って赤外線（射出光）を射出する。タッチパネルコントローラ２６は、複数台配置された赤外線カメラ２４ａ、２４ｂからの２つの画像に基づいて、入力ペン１００等の座標を出力する。なお、赤外線ＬＥＤ及び赤外線カメラの数は、それぞれ２つに限らず、３つ以上設けることができる。
【０００９】
コントローラ６０は、パネル部材であるディスプレイ部２０（表示部２１）に電子情報を表示する制御や入力ペン１００等を用いた情報入力の制御を行う表示制御装置である。ペン信号受信部５０は、ディスプレイ部２０、コントローラ６０の適所に設けられ、入力ペン１００からの無線信号として出力された操作中信号（筆記操作中信号又は消去操作中信号）を受信する。なお、ペン信号受信部５０は、入力ペン１００が操作中信号を出力する機能を有する場合に有効であり、指で入力を行うときには、ペン信号受信部５０は作動しない。また、コントローラ６０は、制御系としてＣＰＵ（Central Processing Unit）６１と、ＲＯＭ（Read Only Memory）６２と、ＲＡＭ（Random Access Memory）６３と、を主に備えている。ＣＰＵ６１は、本実施形態の電子情報ボードシステムの機能を実現する制御を行う。ＲＯＭ６２は、ＣＰＵ６１によって実行される各種の制御プログラムを格納している。ＲＡＭ６３は、ＣＰＵによる実行のために制御プログラムや各種の一時データが格納される作業領域である。
【００１０】
また、コントローラ６０は、入力操作される各種画面操作部やユーザＰＣ８０から取り込まれた画像を表示部２１に表示する制御を行う。ペン信号受信部５０は、入力ペン１００から出力された操作中信号を受信すると、当該操作中信号をタッチパネル２２に入力する。これにより、タッチパネル２２の制御回路であるタッチパネルドライバ２５は、入力ペン１００から出力された操作中信号により入力ペン１００による入力操作が行われていることを認識（検知）し、コントローラ６０に操作検知信号を出力する。即ち、コントローラ６０は、タッチパネル２２のタッチパネルコントローラ２６から出力された入力ペン１００等の座標データに基づいて表示部２１の表示面に書き込まれた各種画像を表示する。これにより、例えば表示部２１の表示画像として、白色地の背景に黒色、赤色等の手書き線、手書き文字等のストロークを表示する。
また、コントローラ６０は、外部接続端子として、ＵＳＢ（Universal Serial Bus）ケーブル７１を接続可能なＵＳＢポート７０、ＶＧＡ（Video Graphics Array）ケーブル７３が接続されるＶＧＡ入力ポート７２を備えている。これらのＵＳＢポート７０、ＶＧＡ入力ポート７２を介してユーザＰＣ（Personal Computer）９０を電子情報ボード１０に接続可能である。また、コントローラ６０は、イーサネット（登録商標）ケーブル７６を接続して電子情報ボード１０をネットワーク７７に接続するためのネットワークＩ／Ｆ（インターフェイス）７５を備えてもよい。
【００１１】
ユーザＰＣ８０は、画像を表示可能なモニタ８１と、各種コンテンツ及びコンテンツ表示用アプリケーションソフトウエアなどのプログラムが格納された磁気ディスク装置等からなるストレージ８２とを備えている。そして、使用者の操作により、ストレージ８２に格納されたコンテンツの中から所望のコンテンツが選択されることにより、モニタ８１に当該コンテンツが表示される。
コントローラ６０は、ユーザＰＣ８０のモニタ８１に表示された画像データがＵＳＢポート７０、ＶＧＡ入力ポート７２を介してユーザＰＣ８０から転送されると、表示部２１のユーザＰＣ用画像表示領域にモニタ８１に表示された画像と同じ画像を表示する。
タッチパネルコントローラ２６は、赤外線カメラ２４ａ、２４ｂにより撮像された画像から、タッチパネル２２における赤外線ＬＥＤ２３ａ、２３ｂからの赤外線を遮る物体、即ち入力ペン１００等の位置（座標）を算出する位置算出手段として機能する。
【００１２】
また、タッチパネルコントローラ２６は、入力ペン１００等の検出位置に基づいて赤外線ＬＥＤ２３ａ、２３ｂへの電流を変更する電流変更手段として機能する。即ち、タッチパネルコントローラ２６は、検出した入力ペン１００の等の座標に基づいて、入力ペン１００等が検出しにくい箇所か否かを判定して、赤外線ＬＥＤ２３ａ、２３ｂへの電流を制御する。
【００１３】
次にタッチパネル２２における赤外線ＬＥＤ２３ａ、２３ｂ、赤外線カメラ２４ａ、２４ｂ等の配置について説明する。図２は図１に示した座標検知装置の光源、撮像装置及び再帰性反射板の配置を示す模式図である。再帰性反射手段である再帰性反射板は、光学上特殊な反射機構を備える反射板であり、入射した光が再び入射方向へ向け再帰反射するものである。タッチパネル２２の表示部２１の長辺である一辺２１０の両端には、それぞれ赤外線ＬＥＤ２３ａ、２３ｂを配置している。また、赤外線ＬＥＤ２３ａと同じ位置には赤外線カメラ２４ａを、赤外線ＬＥＤ２３ｂの位置には赤外線カメラ２４ｂを配置している。
更に、表示部２１の他の三辺２２０、２３０、２４０には、それぞれ再帰性反射板３１、３２、３３を配置している。再帰性反射板３１、３２、３３は、反射光を入射した方向に向けて再帰反射する素材を備えて構成される。再帰性反射板３１、３２、３３によって、赤外線ＬＥＤ２３ａからの赤外線（再帰反射光）は赤外線ＬＥＤ２３ａに向け反射され、赤外線ＬＥＤ２３ｂからの赤外線は赤外線カメラ２４ｂに向け反射される。
赤外線カメラ２４ａ及び赤外線カメラ２４ｂは、再帰性反射板３１、３２、３３を背景とする指又は入力ペン１００の像を異なる角度から取得する。タッチパネルコントローラ２６は、異なる方向からの像に基づいて入力ペン１００等の座標を演算する。なお、赤外線ＬＥＤ２３ａ、赤外線ＬＥＤ２３ｂを区別しないで説明するとき赤外線ＬＥＤ２３といい、赤外線カメラ２４ａ、２４ｂを区別しないときには、単に赤外線カメラ２４という。
【００１４】
ここで、例えば赤外線ＬＥＤ２３ｂから、図３中Ａ方向に照射される赤外線は、再帰性反射板３２に対して浅い角度で入射する上、往復光路が長い。このため、Ａ方向に照射された赤外線の再帰性反射板３２からの反射光の光量は少なくなる。従って、赤外線ＬＥＤ２３ｂの発光光量が小さい場合は、赤外線カメラ２４ｂが撮像した画像において、再帰性反射板３２が暗く写り、再帰性反射板３２部分と再帰性反射板３２以外の部分とのコントラストが小さくなる。その結果、赤外線カメラ２４ｂが撮像した入力ペン１００等の検出画像では、背景像となる再帰性反射板３２も暗く、入力ペン１００の画像と背景画像とのコントラストが小さくなり、入力ペン１００等の位置が正確に検出できなくなる。
赤外線カメラ２４ｂが撮像する画像において、再帰性反射板が所定の輝度に満たないほど暗く写る部分やその割合は、赤外線ＬＥＤの発光光量や発光特性、或いは再帰性反射板の性能に依存する。しかし、再帰性反射板を背景とする入力ペン１００等の像が、その位置を検知するに必要なコントラストを有して撮影されるか否かは、赤外線カメラ２４ｂに対する再帰性反射板の位置によって大きく異なる。
【００１５】
図３は座標検知装置における光源への電流の違いによる撮像結果を示すものであり、（Ａ）は赤外線光源への電流が少ない場合を示す図、（Ｂ）は赤外線光源への電流が多い場合を示す図である。図３（Ａ）及び（Ｂ）において、（ａ）は再帰性反射板の撮影画像、（ｂ）は長辺における再帰性反射板の輝度の分布を示すグラフ、（ｃ）は短辺における再帰性反射板の輝度の分布を示すグラフである。なお、（Ａ）、（Ｂ）における（ａ）の画像は、実際の像は暗い上コントラストが少ないため視認しにくい画像であるため、画像を明るくする等加工して視認しやすくしてある。
【００１６】
赤外線光源への電流が少ない（Ａ）において、（ａ）に示すように、撮影像の輝度が著しく低下する箇所があることが分かる（図中楕円印を付した）。また、長辺の輝度を示す（ｂ）において輝度が最大でも６０（Ｇｒａｙ  Ｖａｌｕｅ）程度、両端で３０〜０（Ｇｒａｙ  Ｖａｌｕｅ）である。更に、短辺の輝度を示す（ｃ）においても、最大で４０（Ｇｒａｙ  Ｖａｌｕｅ）程度、両端で３０〜０（Ｇｒａｙ  Ｖａｌｕｅ）になっている。
これに対して、赤外線光源への電流が多い（Ｂ）において、（ａ）に示すように、撮影像の輝度が著しく低下する箇所が少ないことが分かる。また、長辺の輝度を示す（ｂ）において輝度が最大で１５０（Ｇｒａｙ  Ｖａｌｕｅ）程度、両端で６０〜３０（Ｇｒａｙ  Ｖａｌｕｅ）である。更に、短辺の輝度を示す（ｃ）においても、最大で８０（Ｇｒａｙ  Ｖａｌｕｅ）程度、両端で８０〜２０（Ｇｒａｙ  Ｖａｌｕｅ）になっている。
【００１７】
図３（Ａ）（ａ）中楕円印を付した箇所では再帰性反射板部分とそれ以外の部分とのコントラストが不足し、入力ペン１００等の位置を正確に検出できない。これに対処するには、赤外線ＬＥＤに流れる電流を多くするなどして、光量を上げる必要がある。
一方、図３（Ａ）（ａ）の表示画面の中央部では、赤外線が正面から当たっているため明るく、入力ペン等が赤外線を遮った際に、遮られたことを判定するのに十分な背景画像の明るさがある。
ここで、図３（Ａ）（ａ）中楕円印部分を明るくするために赤外線ＬＥＤへの電流を多く流すと、赤外線ＬＥＤの寿命が短くなる他、省エネルギー化を達成できない。本実施形態では、背景画像の明るさに応じて赤外線ＬＥＤに流す電流を動的に制御して、背景画像が暗くならないように制御する。この制御は、タッチパネルコントローラ２６により行われる。
【００１８】
次に、赤外線ＬＥＤに入力する電流の制御について説明する。本実施形態に係る座標検知装置では、赤外線ＬＥＤへの入力電流はパルス幅変調（ＰＷＭ：Pulse Width Modulation）で制御される。図４はパルス幅変調制御される光源の点灯状態を説明するグラフである。パルス幅変調では信号のＯＮ／ＯＦＦ時間（ｄｕｔｙ  ｃｙｃｌｅ）を変化させることで出力を変える。これにより赤外線ＬＥＤの、輝度を下げたり上げたりすることができる。
図４に示す例では、（ａ）はパルス幅のデューティー比を９５％、（ｂ）は８５％、（ｃ）は６５％、（ｄ）は４５％とした場合における赤外線ＬＥＤの点灯状態を示している。デューティー比を高くするほど、赤外線ＬＥＤには大きな電流が入力し、赤外線ＬＥＤは大きな光量で発光する。本実施形態では、タッチパネルコントローラ２６は、このデューティー比を変更する。なお、赤外線ＬＥＤ２３の電流を調整するには、ＰＷＭに限らず、他の手法によることができる。
【００１９】
次に、実施形態に係る赤外線ＬＥＤの２３の制御について説明する。図５は図１に示した座標検知装置の制御手順を示すフローチャートである。
まず、タッチパネルコントローラ２６は、タッチパネル２２が起動されたとき（ステップＳ１）、赤外線ＬＥＤ２３の駆動パルスのデューティー比を予め定めた初期値Ｓに設定する（ステップＳ２）。この初期値Ｓはどのような位置に入力ペン１００等が配置されたとしても赤外線カメラ２４で、入力ペン１００等の位置検出が確実にできるとした背景の明るさを取得でき、十分なコントラストの画像を得ることができる値として、最大値に近い値とする（例えばデューティー比９５％）。これにより、タッチパネル２２の起動時において、入力ペン１００等を確実に検出でき、その後において、赤外線ＬＥＤ２３の電流を調整できる状態とできる。
【００２０】
入力ペン１００等の座標が検出された場合、タッチパネルコントローラ２６は、赤外線カメラ２４からの画像において、再帰性反射板３１、３２、３３による入力ペン１００等の検知位置周辺の背景画像の明るさが閾値Ｔより大きいかを判定する（ステップＳ３）。これにより、背景画像が明るく、入力ペン１００等の画像を認識して、座標が検出できるか否かを判定する。この閾値Ｔは、実際に使用するタッチパネル２２等により異なるため、実験等により、確実に入力ペン１００等を検出できる値を予め定めておく。ここで、入力ペン１００等の検知位置周辺とは、入力ペン１００等の検知された部位を含む所定の範囲のことであり、入力ペン１００等の検知部位における背景画像の明るさを判定するに必要な範囲に設定される。
背景画像の明るさが閾値Ｔを超える場合には（ステップＳ３にてＹｓｅ）、赤外線ＬＥＤ２３の光量を下げても入力ペン１００等を正確に検出できるので、赤外線ＬＥＤへのパルス電流のデューティー比を下げる（ステップＳ４）。
次いで、再帰性反射板３１、３２、３３による背景画像の明るさが閾値Ｔ以下か判定する（ステップＳ５）。背景画像の明るさが閾値Ｔ以下である場合（ステップＳ５のＹｅｓ）、入力ペン１００等を正確に検出できなくなる。このため、赤外線ＬＥＤへのパルス電流のデューティー比を高める（ステップＳ６）。この後、ステップＳ３からステップＳ６までの動作をタッチパネルシステムが終了するまで続ける（ステップＳ７）。
以上の処理を行うことにより、赤外線ＬＥＤ２３に流す電流を最小限にしつつ、赤外線カメラ２４で確実にペン等を検出して、座標を取得することができ、赤外線ＬＥＤの長寿命化、及び省エネルギー化を図ることができる。
【００２１】
なお、上記例では、１つの閾値Ｔを予め定め、背景画像の明るさと閾値とを比較して、デューティー比を変更した。このデューティー比の変更に際しては、他の手法、例えば２つ定めた閾値Ｔ１、Ｔ１（Ｔ１＞Ｔ２）と背景画像の明るさとを比較し、背景画像の明るさが閾値Ｔ１と閾値Ｔ２の間になるように、デューティー比を設定する等を選択することができる。
また、検知された入力ペン等の座標と、赤外線ＬＥＤのデューティー比とを予め対応させたテーブルを用意しておき、入力ペンの座標に応じて赤外線ＬＥＤのデューティー比を選択的に決定してもよい。この方法によれば、タッチパネルコントローラ２６の計算量を低減できる。
上記実施形態においては、背景画像、即ち、赤外線カメラが撮像した再帰性反射板像の明るさに基づいて赤外線ＬＥＤのデューティー比を変更しているが、入力ペン等の検知位置周辺の画像のコントラストに基づいて赤外線ＬＥＤのデューティー比を決定してもよい。ここでコントラストとは、画像中の最も暗い部分と、最も明るい部分の輝度（画素の輝度値）の差のことをいう。この場合、画像中の最も暗い部分の輝度をＬｍｉｎ、最も明るい部分の輝度をＬｍａｘとした場合、コントラストを定量的に扱う値として例えばコントラスト比「Ｌｍａｘ／Ｌｍｉｎ」を上記閾値Ｔに代えて使用できる。
【００２２】
＜本発明の構成、作用、効果のまとめ＞
＜第一態様＞
本態様に係るタッチパネル２２は、赤外線ＬＥＤ２３ａ、２３ｂから射出された光を再帰反射させる再帰性反射板３１、３２、３３と、再帰反射された光を撮像する赤外線カメラ２４ａ、２４ｂと、撮像した光の画像における背景画像の明るさに基づいて赤外線ＬＥＤ２３ａ、２３ｂへの電流を変更するタッチパネルコントローラ２６と、を備えることを特徴とする。
本態様によれば、背景画像の明るさに基づいて赤外線ＬＥＤ２３への電流を調整する。これにより、赤外線ＬＥＤ２３への電流を抑えながらも、表示部２１の入力ペンや指の座標を正確に検出できる。
【００２３】
＜第二態様＞
本態様に係るタッチパネルコントローラ２６は、画像における背景画像の明るさが閾値Ｔより小さいとき、赤外線ＬＥＤ２３光源への電流を大きくし、画像における背景画像の明るさが閾値Ｔより大きいとき、赤外線ＬＥＤ２３への電流を小さくすることを特徴とする。
本態様においては、画像の背景画像の明るさに対応して赤外線ＬＥＤへの電流を調整する。これにより、赤外線ＬＥＤ２３への電流を、表示部２１における入力ペンや指の座標を正確に検出できる適正な値に設定できる。
【００２４】
＜第三態様＞
本態様に係るタッチパネルコントローラ２６は、起動時、電流を初期値Ｓとし、起動後、背景画像の明るさに基づいて赤外線ＬＥＤ２３への電流を調整することを特徴とする。
本態様によれば、起動時において、赤外線ＬＥＤ２３への電流を、表示部２１における入力ペンや指の座標を正確に検出できる適正な値に設定できる。これにより、起動時において、確実に入力ペン１００等を検出でき、その後において、赤外線ＬＥＤ２３の電流を調整できる状態とできる。
【００２５】
＜第四態様＞
本態様は、表示部２１と、表示部２１の表示面における物体の位置の座標を検知するタッチパネル２２と、タッチパネル２２から出力された座標データに基づいて表示部２１の表示面に書き込まれた各種画像を表示させるコントローラ６０とを備えることを特徴とする電子情報ボードである。
本態様に係る電子情報ボード１０は、赤外線ＬＥＤ２３への電流を抑えながらも、表示部２１の入力ペンや指の座標を正確に検出できるタッチパネル２２を備える。これにより、タッチパネル２２の赤外線ＬＥＤ２３を長寿化すると共に、赤外線ＬＥＤ２３の消費電量を抑え、電子情報ボード１０の電力消費量を全体として少ないものにでき、ランニングコストを削減できる。
【符号の説明】
【００２６】
１０：電子情報ボード、２０：ディスプレイ部、２１：表示部（パネル部材）、２２：タッチパネル、２３、２３ａ、２３ｂ：赤外線ＬＥＤ（光源）、２４、２４ａ、２４ｂ：赤外線カメラ（撮像手段）、２５：タッチパネルドライバ、２６：タッチパネルコントローラ（位置算出手段、電流変更手段）、３１、３２、３３：再帰性反射板（再帰性反射手段）、１００：入力ペン
【先行技術文献】
【特許文献】
【００２７】
【特許文献１】特開２０１２−１２８８５１公報
【図１】
2016197323.tif 000003
【図２】
2016197323.tif 000004
【図３】
2016197323.tif 000005
【図４】
2016197323.tif 000006
【図５】
2016197323.tif 000007